(57)【要約】【課題】消費者の商品購買意欲を刺激しうる商品価値の高い景品付商品を提供するための商品容器を提供する。【解決手段】商品を収容する容器本体１に、第１の蓋体２が取り付けられている。この第１の蓋体２には、透明な第２の蓋体３が着脱自在に取り付けられている。前記第１の蓋体２の上方において、前記第２の蓋体３内に、景品収容空間５が形成されてなり、この景品収容空間５に景品４が収容されている。【選択図】　図１
2004106932.tif 000002
【特許請求の範囲】
【請求項１】
商品を収容する容器本体と、
前記容器本体に取り付けられた第１の蓋体と、
前記第１の蓋体に着脱自在に取り付けられた透明な第２の蓋体と、
を備え、
前記第１の蓋体の上方において、前記第２の蓋体内に、景品収容空間が形成されてなることを特徴とする商品容器。
【請求項２】
前記第２の蓋体のみの操作によって前記容器本体に対する前記第１の蓋体の着脱を行いうるように、第２の蓋体が第１の蓋体に係合した状態に取り付けられてなる請求項１に記載の商品容器。
【請求項３】
前記第１の蓋体の外周面に１個または複数個の凸部または凹部が形成されるとともに、前記第２の蓋体の端部内周面には、前記凸部または凹部に嵌合可能な１個または複数個の凹部または凸部が形成され、前記各蓋体の凸部と凹部とが嵌合されることにより、第１の蓋体と第２の蓋体とが少なくとも周方向において係合している請求項２に記載の商品容器。
【請求項４】
前記景品収容空間に景品が収容されてなる請求項１ないし３のいずれかに記載の商品容器。
【請求項５】
商品を収容する容器本体と、
前記容器本体に取り付けられた透明な第１の蓋体と、
前記容器本体内に収容された商品に取り付けられた第２の蓋体と、
を備え、
前記第２の蓋体の上方において、前記第１の蓋体内に、景品収容空間が形成されてなることを特徴とする商品容器。
【請求項６】
前記景品収容空間に景品が収容されてなる請求項５に記載の商品容器。
【発明の詳細な説明】
【０００１】
【発明の属する技術分野】
この発明は、例えば、マニキュア、マスカラ、リップバーム等の化粧品その他の商品を収容する商品容器に関する。
【０００２】
【従来の技術】
例えば、上記のような化粧品容器は、一般に、化粧品を収容するガラスや樹脂製等の容器本体に、開口部を閉塞する蓋体が取り付けられた状態で販売等に供せられている。
【０００３】
このような容器入りの商品について、消費者の購買意欲を増すために、商品に景品を付して販売することが行われている。
【０００４】
【発明が解決しようとする課題】
しかしながら、従来では、単に付属の景品を商品と共に箱や袋に収容したにすぎないものであったため、消費者の購買意欲を刺激するにはいささか物足りないものであった。
【０００５】
この発明は、このような事情に鑑みてなされたものであって、消費者の商品購買意欲を刺激しうる商品価値の高い景品付商品を提供するための商品容器の提供を目的とする。
【０００６】
【課題を解決するための手段】
上記課題を解決するために、この発明の一つは、商品を収容する容器本体と、前記容器本体に取り付けられた第１の蓋体と、前記第１の蓋体に着脱自在に取り付けられた透明な第２の蓋体と、を備え、前記第１の蓋体の上方において、前記第２の蓋体内に、景品収容空間が形成されてなることを特徴とする商品容器にある。
【０００７】
この商品容器では、第１の蓋体の上方における第２の蓋体内に景品収容空間が形成されているから、この空間に景品を収容することで、景品が商品に一体的に保持されて景品の収まりが良い上、第２の蓋体が透明であることから、前記景品収容空間に収容される景品を外部から視認することができ、見栄えが良くなり、商品価値の高い商品の提供が可能となる。また、商品の使用後も、景品等を景品収容空間に収容しておくことにより、装飾容器としても使用できる。
【０００８】
前記の商品容器において、前記第２の蓋体のみの操作によって前記容器本体に対する前記第１の蓋体の着脱を行いうるように、第２の蓋体が第１の蓋体に係合した状態に取り付けられてなるものとするのがよい。これにより、第２の蓋体を把持して第１の蓋体の容器本体に対する着脱を行いうるから、操作性の良いものとなる。
【０００９】
この場合、前記第１の蓋体の外周面に１個または複数個の凸部または凹部が形成されるとともに、前記第２の蓋体の端部内周面には、前記凸部または凹部に嵌合可能な１個または複数個の凹部または凸部が形成され、前記各蓋体の凸部と凹部とが嵌合されることにより、第１の蓋体と第２の蓋体とが少なくとも周方向において係合している構成としても良い。
【００１０】
この構成によれば、第１、第２の蓋体同士を簡易な構成で周方向に係合させることができ、従って、例えば内側キャップがねじ込み方式により容器本体に取り付けられている場合には、外側キャップの操作のみで内側キャップを容易に取り外しあるいは取り付けることができる。
【００１１】
また、前記の商品容器において、景品収容空間に景品が収容されてなる場合には、消費者の商品購買意欲を刺激する商品価値の高い商品となしうる。
【００１２】
また、この発明の他のものは、商品を収容する容器本体と、前記容器本体の開口部を閉塞する透明な第１の蓋体と、前記容器本体内に収容される商品に取り付けられた第２の蓋体と、を備え、前記第２の蓋体の上方において、前記第１の蓋体内に、景品収容空間が形成されてなることを特徴とする商品容器にある。
【００１３】
この商品容器では、第２の蓋体の上方における第１の蓋体内、換言すれば、第１の蓋体と第２の蓋体とで囲まれた領域内に、景品収容空間が形成されているから、この空間に景品を収容することで、景品が商品に一体的に保持されて景品の収まりが良い上、第１の蓋体が透明であることから、前記景品収容空間に収容される景品を外部から視認することができ、見栄えが良くなり、商品価値の高い商品の提供が可能となる。。
【００１４】
この商品容器において、前記景品収容空間に景品が収容されてなる場合には、消費者の商品購買意欲を刺激する商品価値の高い商品となし得る。
【００１５】
【発明の実施の形態】
次に、この発明の一実施形態を図面を参照しつつ説明する。
【００１６】
図１〜図５は、この発明の第１実施形態である化粧品容器を示すもので、図１は、各構成部品を取り外した状態の斜視図、図２は各構成部品を取り付けた状態の正面図、図３は図２における内側キャップと外側キャップのみについてのＩＩＩ−ＩＩＩ線断面図、図４は図３のＩＶ−ＩＶ線断面図、図５は外側キャップの底面図である。
【００１７】
図１〜図５に示した化粧品容器は、球形状の容器本体１と、第１の蓋体としての内側キャップと、第２の蓋体としての外側キャップ３と、景品としてのキャラクタ人形４とを備えている。
【００１８】
前記容器本体１は、上端部が開口しかつ外周面に雄ねじ部１１が形成された断面円形の短筒状首部１２を一体に有するもので、透明なガラスあるいは樹脂などで製作されている。そして、容器本体内１には、前記首部１２の開口部１２ａからマニキュア等の化粧用液体が注入充填されている。
【００１９】
前記内側キャップ２の上壁内面には、内側キャップの高さ方向（下方）に延びた棒状部２１が一体に突設され、この棒状部２１の先端に刷毛部２２が設けられている。また、内側キャップ２の内周面には、前記首部１２の雄ねじ部１１に対応する雌ねじ部２３が形成され、この雌ねじ部２３を、前記首部１２の雄ねじ部１１に螺合することにより、前記刷毛部２２及び棒状部２１を容器本体１内に臨ませた状態で、内側キャップ２が容器本体１に取り付けられている。
【００２０】
また、前記内側キャップ２の外周面には、内側キャップ２の高さ方向ほぼ全域にわたって延びる凹条と凸条とが内側キャップ２の周方向全体に交互に繰り返されてなる凹凸部２４が形成されている。
【００２１】
前記外側キャップ３は、前記内側キャップ２の外周面に嵌め込まれるものであり、透明な樹脂等からなるとともに、一端部（下端部）が開口し他端部（上端部）が閉塞した断面円形の筒状をなしている。また、外側キャップ３の前記一端開口部の内径寸法は、内側キャップ２に外嵌めし得るように、内側キャップ２の外径寸法よりもわずかに大きく設定されている。かつ、外側キャップ３の開口部３１近傍の内周面には、外側キャップ３の高さ方向に延びる凸条３２が、周方向に１個または間隔を置いて複数個設けられている。この凸条３２は、外側キャップ３を内側キャップ２に嵌め込んだ際に、前記内側キャップ２の凹凸部２４における凹条に嵌まり込んで、両キャップ２、３を周方向に係合させる役割を果たすものである。このために、前記外側キャップ３の凸条３２は、内側キャップ２の凹凸部２４における凹条の深さにほぼ対応した突出高さに設定されている。
【００２２】
そして、前記外側キャップ３が、その凸条３２と内側キャップ２の凹凸部２４における凹条とが嵌まり込んだ状態に、外側キャップ３の一端開口部３１において前記内側キャップ２に外嵌めされている。従って、外側キャップ３を周方向に回動させると、外側キャップ３に係合した内側キャップ２も外側キャップ３と一体的に回動し、これにより、外側キャップ３の操作のみで内側キャップ２を緩めて容器本体１から取り外し、あるいは容器本体１に取り付けて内側キャップ２を固く締め付けることができるものとなされている。かつ、この係合により、高さ方向（外側キャップ３の抜き方向）においても内外両キャップ２、３は分離可能に圧接係合している。
【００２３】
また、前記外側キャップ３は、高さ方向の下端部内径が径大にそれよりも上側の部位の内径が径小に形成されることにより、高さ方向の下端部内周面に、リング状の段部３３が形成されており、外側キャップ３を内側キャップ２に嵌合したときに、段部３３が内側キャップ２の上端部周縁に当接するようになっており、これにより外側キャップの被せ量が常に一定量に規制されるものとなされている。
【００２４】
さらに、前記外側キャップ３の高さ寸法は、前記内側キャップの高さ寸法よりも大きく設定されている。従って、外側キャップ３を内側キャップ２に嵌合した状態では、内側キャップ２の上方における外側キャップ３内、換言すれば、内側キャップ２と外側キャップ３とで囲まれた空間内に、景品収容空間であるキャラクタ人形収容空間５が形成されており、このキャラクタ人形収容空間５に前記キャラクタ人形４が収容されている。また、前述したように、外側キャップ３は透明であるから、キャラクタ人形収容空間５に収容された前記キャラクタ人形４を、外側キャップ３を通して外部から視認できるものとなされている。
【００２５】
前記キャラクタ人形４は、一端部（下端部）を内側キャップ２の上面に接着剤、粘着剤などで軽度に接合されており、商品購入者が必要に応じて、外側キャップ３を取り外したのちキャラクタ人形４を取り外すことができるようになっている。そして、この実施形態では、取り外したキャラクタ人形４をキーホルダ等に装着できるように、キャラクタ人形４にリング状の取り付け部４１が設けられている。
【００２６】
次に、図示実施形態に係る化粧品容器の製造及び使用について説明する。
【００２７】
容器本体１に化粧用液体等を収容したのち、内側キャップ２を取り付ける。次いで、内側キャップ２の上面に、接着剤や粘着剤等によりキャラクタ人形４を軽く固定したのち、外側キャップ３をキャラクタ人形４に被せたのち、外側キャップ３を、その内周面の凸条３２と内側キャップ２外周面の凹凸部２４の凹条とが嵌まり合うように内側キャップ２に押し込んで取り付け、商品とする。この際、内側キャップ２の外周面の周方向全域に、凹条と凸条とが交互に連続して形成されているから、外側キャップ３の凸条３２と内側キャップ２の凹凸部２４の凹条との嵌め合わせを全く意識することなく、両キャップを簡単に嵌め合わせることができる。
【００２８】
この商品においては、外側キャップ３内のキャラクタ人形４は、容器本体１と一体的に保持されているから、消費者はキャラクタ人形４を含む全体を１つの商品として把握でき、透明な外側キャップ３を通して外側キャップ３内のキャラクタ人形４を視認できることとも相俟って、消費者の購買意欲を刺激し、商品価値の高い化粧品となる。
【００２９】
一方、この商品を購入した消費者は、使用に際しては外側キャップ３を把持して回すと、内側キャップ２も一体に回動するから、高さの高い外側キャップ３のみの操作で内側キャップ２の取り外し、取り付けが可能となるとともに、外側キャップ３のみの操作で、刷毛部２２による化粧用液体の化粧部位へ塗り込みなどが可能となる。しかも、必要に応じて、外側記キャップ３を内側キャップ２から抜くとともに、キャラクタ人形４を内側キャップ２から分離してキーホルダ等に取り付けることができる。また、キャラクター人形４を取り外すことなく、商品の使用済み後は、容器を装飾品として用いることもできる。
【００３０】
なお、上記の第１実施形態では、外側キャップ３の内周面に凸条３２を内側キャップ２の外周面に凹条を設けて、これらが嵌まり合うように両キャップ２、３を取り付けた場合を示した。しかし、両キャップの係合の態様はこれに限定されることはない。例えば、外側キャップに複数個の凸条を設けるとともに、内側キャップには全周ではなく間隔的に複数個の凹条を設け、これら凸条と凹条とを嵌合させても良い。また、凹部と凸部とを逆にしても良い。さらには、いずれか一方のみに凸条を設けて、あるいは凸条や凹条を全く設けることなく、両キャップを圧接密着状態に係合させることにより、外側キャップ３の操作によって内側キャップの着脱を行いうるようにしても良い。
【００３１】
また、外側キャップ３と内側キャップ２とを係合させることなく相互にフリーな状態で外側キャップ３を内側キャップ２に被せたものであっても良い。
【００３２】
また、内側キャップ２は容器本体１にねじ込まれて固定された場合を示したが、内側キャップ２は容器本体１の一部に着脱自在に被せた状態に取り付けられるものであっても良い。
【００３３】
図６及び図７は、この発明の第２の実施形態を示すものである。
【００３４】
この実施形態では、有底円筒状の容器本体１１０の開口端部１１１に、第１の蓋体としての容器本体用キャップ１２０が、凹凸嵌合方式により取り付けられている。この容器本体１１０及び容器本体用キャップ１２０は、いずれも透明樹脂等の素材によって製作されている。また、容器本体１１０の内部には、ペンシル形の化粧具１３０が収容されている。このペンシル形化粧具１３０における前記容器本体用キャップ１２０側の端部には、透明な筒状の仕切用キャップ１４０が被せられている。そして、この仕切用キャップ１４０と前記容器本体用キャップ１２０とで囲まれた領域に、キャラクター人形収容空間１５０が形成されている。
【００３５】
そして、前記キャラクター人形収容空間１５０に、一端を前記仕切用キャップ１４０に接着剤や粘着剤等で分離可能に軽く接合されたキャラクター人形１６０が収容されている。
【００３６】
この実施形態においても、容器本体用キャップ１２０は透明であるから、第１の実施形態と同様に、キャラクター人形１６０を外部から視認することができ、消費者の購買意欲を刺激し、商品価値の高いものとなし得る。また、この商品を購入した消費者は、前記キャラクター人形１６０を仕切用キャップ１４０から取り外して、リング状の取り付け部１６１を介してキーホルダー等に取り付けることができる。また、キャラクター人形１６０を取り外すことなく、商品の使用済み後は、容器を装飾品として用いることもできる。
【００３７】
以上、本発明の一実施形態を説明したが、本発明はこれら実施形態に限定されることはない。例えば、景品としてキャラクター人形を用いた場合を示したが、その他のキャラクターグッズでも良いし、アクセサリー類でも良いし、他の景品でも良い。
【００３８】
また、容器本体１、１１０の形状や構造は上記実施形態に限定されることはないし、キャップ２、３、１２０、１４０の形状も何ら限定されることはない。
【００３９】
【発明の効果】
この発明は上述の次第で、商品を収容する容器本体と、前記容器本体に取り付けられた第１の蓋体と、前記第１の蓋体に着脱自在に取り付けられた透明な第２の蓋体と、を備え、前記第１の蓋体の上方において、前記第２の蓋体内に、景品収容空間が形成されてなることを特徴とするから、第１の蓋体に取り付けられた第２の蓋体内に景品収容空間が形成されており、この空間に景品を収容することで、景品が商品に一体的に保持されて景品の収まりが良くなる。しかも、第２の蓋体が透明であることから、前記景品収容空間に収容される景品を外部から視認することができ、見栄えが良くなり、商品価値の高い商品の提供が可能となる。また、商品の使用後も、景品等を景品収容空間に収容しておくことにより、装飾容器としても使用でき、実用的価値のある商品容器となし得る。
【００４０】
また、前記の商品容器において、前記第２の蓋体のみの操作によって前記容器本体に対する前記第１の蓋体の着脱を行いうるように、第２の蓋体が第１の蓋体に係合した状態に取り付けられてなるものである場合には、第２の蓋体を把持して第１の蓋体の容器本体に対する着脱を行いうるから、高い商品価値に加えて操作性の良い商品の提供が可能となる。
【００４１】
また、前記の商品容器において、前記第１の蓋体の外周面に１個または複数個の凸部または凹部が形成されるとともに、前記第２の蓋体の端部内周面には、前記凸部または凹部に嵌合可能な１個または複数個の凹部または凸部が形成され、前記各蓋体の凸部と凹部とが嵌合されることにより、第１の蓋体と第２の蓋体とが少なくとも周方向において係合しているものとなされている場合には、第１、第２の蓋体同士を簡易な構成で確実に周方向に係合させることができる。従って、例えば内側キャップがねじ込み方式により容器本体に取り付けられている場合には、外側キャップの操作のみで内側キャップを容易に取り外しあるいは取り付けることができる。
【００４２】
また、前記の商品容器において、景品収容空間に景品が収容されてなる場合には、消費者の商品購買意欲を刺激する商品価値の高い商品となしうる。
【００４３】
また、商品を収容する容器本体と、前記容器本体の開口部を閉塞する透明な第１の蓋体と、前記容器本体内に収容された商品に取り付けられた第２の蓋体と、を備え、前記第２の蓋体の上方において、前記第１の蓋体内に、景品収容空間が形成されてなることを特徴とする商品容器にあっては、第１の蓋体と第２の蓋体とで囲まれた領域内に、景品収容空間が形成されているから、この空間に景品を収容することで、景品が商品に一体的に保持されて景品の収まりが良いものとなしうる。加えて、第１の蓋体が透明であることから、前記景品収容空間に収容される景品を外部から視認することができ、見栄えが良くなり、商品価値の高い商品の提供が可能となる。。
【００４４】
この商品容器において、前記景品収容空間に景品が収容されてなる場合には、消費者の商品購買意欲を刺激する商品価値の高い商品となし得る。
【図面の簡単な説明】
【図１】この発明の一実施形態に係る商品容器を示すもので、各構成部品を取り外した状態の斜視図である。
【図２】同じく各構成部品を取り付けた状態の正面図である。
【図３】図２における内側キャップと外側キャップのみについてのＩＩＩ−ＩＩＩ線断面図である。
【図４】図３のＩＶ−ＩＶ線断面図である。
【図５】外側キャップの底面図である。
【図６】この発明の他の実施形態に係る商品容器を示すもので、各構成部品を取り外した状態の斜視図である。
【図７】同じく各構成部品を取り付けた状態の斜視図である。
【符号の簡単な説明】
１・・・・・容器本体
２・・・・・内側キャップ（第１の蓋体）
３・・・・・外側キャップ（第２の蓋体）
４・・・・・キャラクタ人形（景品）
５・・・・・キャラクタ人形収容空間（景品収容空間）
２４・・・・凹凸部
３２・・・・凸条
１１０・・・・容器本体
１２０・・・・容器本体用キャップ（第１の蓋体）
１４０・・・・仕切り用キャップ（第２の蓋体）
１５０・・・・キャラクタ人形収容空間（景品収容空間）
１６０・・・・キャラクタ人形（景品）
【図１】
2004106932.tif 000003
【図２】
2004106932.tif 000004
【図３】
2004106932.tif 000005
【図４】
2004106932.tif 000006
【図５】
2004106932.tif 000007
【図６】
2004106932.tif 000008
【図７】
2004106932.tif 000009